(57)【要約】  同軸コネクタ（１０）は、同軸ケーブル（２２０）が取り付けられる同軸コネクタであり、円筒部（２０）、同軸ケーブル（２２０）に沿うように延在する固定部（２４）、及び円筒部（２０）の一方側を覆う蓋部（２２）を含むハウジング（１２）と、ハウジング（１２）に取り付けられるブッシング（１４）と、円筒部（２０）の中央に位置しハウジング（１２）と絶縁され中心導体（２２４）と接続されるソケット（１６）とを備えている。円筒部（２０）と固定部（２４）との接続部Ｊにはくびれが形成され、蓋部（２２）にはレセプタクル（２３０）が接続された際に円筒部（２０）の径の拡大を抑えるために、円筒部（２０）の周囲に位置し、円筒部（２０）の中心に向かう方向に復元力を付加する径拡大抑制部（２５）が設けられている。
2016163140.tif 000002
【特許請求の範囲】
【請求項１】
中心導体、該中心導体の周囲に設けられている絶縁体、該絶縁体の周囲に設けられている外部導体、及び、該外部導体の周囲に設けられている絶縁被膜により構成されている同軸ケーブルが取り付けられる同軸コネクタであって、  前記同軸ケーブルが延在している延在方向に直交する中心軸を有する円筒部、該円筒部から該同軸ケーブルに沿うように延在する固定部、及び該中心軸と直交する面を持ち該面によって該円筒部の一方側を覆う蓋部を含むハウジングと、  前記ハウジングに取り付けられているブッシングと、  前記中心軸と平行な嵌合方向から平面視したときに前記円筒部の中央に位置し、かつ、前記ブッシングにより前記ハウジングと絶縁されているソケットであって、前記中心導体と接続されるソケットと、  を備えており、  前記嵌合方向から平面視したとき、前記円筒部と前記固定部との接続部にはくびれが形成され、  前記蓋部には、相手方のコネクタが接続された際に前記円筒部の径の拡大を抑えるために、前記嵌合方向から平面視したときに、該円筒部の周囲に位置し、該円筒部の中心に向かう方向に復元力を付加する径拡大抑制部が設けられていること、  を特徴とする同軸コネクタ。
【請求項２】
前記径拡大抑制部は、相手方のコネクタが接続された際に、前記接続部と当接する位置に設けられていること、  を特徴とする請求項１に記載の同軸コネクタ。
【請求項３】
前記嵌合方向から平面視したとき、前記径拡大抑制部における延在方向の中心及び前記円筒部の中心を結んだ第１の線分と、該円筒部の中心及び該円筒部における前記固定部の反対側であって前記中心導体の延長線との交点を結んだ第２の線分とが成す角の角度は、９０°以上であること、  を特徴とする請求項１又は請求項２のいずれかに記載の同軸コネクタ。
【請求項４】
前記嵌合方向から平面視したとき、前記径拡大抑制部における延在方向の中心及び前記円筒部の中心を結んだ第１の線分と、該円筒部の中心及び該円筒部における前記固定部の反対側であって前記中心導体の延長線との交点を結んだ第２の線分とが成す角の角度は、１００°以上であること、  を特徴とする請求項１又は請求項２のいずれかに記載の同軸コネクタ。
【請求項５】
前記嵌合方向から平面視したとき、前記径拡大抑制部における延在方向の中心及び前記円筒部の中心を結んだ第１の線分と、該円筒部の中心及び該円筒部における前記固定部の反対側であって前記中心導体の延長線との交点を結んだ第２の線分とが成す角の角度は、１２０°以上であること、  を特徴とする請求項１又は請求項２のいずれかに記載の同軸コネクタ。
【請求項６】
前記径拡大抑制部は複数設けられていること、  を特徴とする請求項１又は請求項２のいずれかに記載の同軸コネクタ。
【発明の詳細な説明】
【技術分野】
【０００１】  本発明は、同軸コネクタに関し、より特定的には、同軸ケーブルの先端に取り付けられる同軸コネクタに関する。
【背景技術】
【０００２】  従来の同軸コネクタとして、例えば、特許文献１に記載の同軸コネクタが知られている。この種の同軸コネクタ（以下で従来の同軸コネクタと称す）は、相手方コネクタと接続される円筒状の部分を有している。そして、この円筒状の部分に相手方コネクタが接続される際に、該円筒状の部分が成す円筒形状が崩れ、相手方コネクタと従来の同軸コネクタとの嵌合力が弱まるという問題があった。
【先行技術文献】
【特許文献】
【０００３】
【特許文献１】特開２００５−１８３２１２号公報
【発明の概要】
【発明が解決しようとする課題】
【０００４】  そこで、本発明の目的は、同軸ケーブルの先端に取り付けられる同軸コネクタにおいて、相手方のコネクタに対する嵌合力の低下を抑制することができる同軸コネクタを提供することである。
【課題を解決するための手段】
【０００５】  本発明の一形態に係る同軸コネクタは、  中心導体、該中心導体の周囲に設けられている絶縁体、該絶縁体の周囲に設けられている外部導体、及び、該外部導体の周囲に設けられている絶縁被膜により構成されている同軸ケーブルが取り付けられる同軸コネクタであって、  前記同軸ケーブルが延在している延在方向に直交する中心軸を有する円筒部、該円筒部から該同軸ケーブルに沿うように延在する固定部、及び該中心軸と直交する面を持ち該面によって該円筒部の一方側を覆う蓋部を含むハウジングと、  前記ハウジングに取り付けられているブッシングと、  前記中心軸と平行な嵌合方向から平面視したときに前記円筒部の中央に位置し、かつ、前記ブッシングにより前記ハウジングと絶縁されているソケットであって、前記中心導体と接続されるソケットと、  を備えており、  前記嵌合方向から平面視したとき、前記円筒部と前記固定部との接続部にはくびれが形成され、  前記蓋部には、相手方のコネクタが接続された際に前記円筒部の径の拡大を抑えるために、前記嵌合方向から平面視したときに、該円筒部の周囲に位置し、該円筒部の中心に向かう方向に復元力を付加する径拡大抑制部が設けられていること、  を特徴とする。
【発明の効果】
【０００６】  本発明によれば、相手方のコネクタに対する嵌合力の低下を抑制することができる。
【図面の簡単な説明】
【０００７】
【図１】一実施例である同軸コネクタの外観斜視図である。
【図２】一実施例である同軸コネクタの分解斜視図である。
【図３】一実施例である同軸コネクタとレセプタクルとの接続を示す断面図である。
【図４】一実施例である同軸コネクタとレセプタクルとの接続を示す断面図である。
【図５】第１変形例である同軸コネクタの外観図である。
【図６】第２変形例である同軸コネクタの外観図である。
【図７】第３変形例である同軸コネクタの外観図である。
【図８】第４変形例である同軸コネクタの外観図である。
【発明を実施するための形態】
【０００８】（同軸コネクタの構成  図１乃至図４参照）  以下に、一実施例である同軸コネクタ１０について、図面を参照して説明する。また、同軸コネクタ１０における、ハウジング１２、ブッシング１４及びソケット１６が重ねられる方向をｚ軸方向とし、その正方向は、ハウジング１２からソケット１６へと向かう方向である。さらに、同軸ケーブル２２０が延在している方向をｘ軸方向とし、ｘ軸方向とｚ軸方向に直交する方向をｙ軸方向とする。ｘ軸方向の正方向は、同軸ケーブル２２０からソケット１６へと向かう方向である。ｘ軸方向は、ｚ軸方向に直交している。
【０００９】  同軸コネクタ１０は、図１及び図２に示すように、ハウジング１２、ブッシング１４及びソケット１６を備えている。また、同軸コネクタ１０は、図３及び図４に示すように、外部導体２３２及び中心導体２３４を有するレセプタクル２３０に対して、着脱可能である。
【００１０】  同軸ケーブル２２０は、図２に示すように、絶縁被膜２２１、外部導体２２２、絶縁体２２３及び中心導体２２４により構成されている。絶縁体２２３は、中心導体２２４の周囲に設けられており、弾性を有している。外部導体２２２は、絶縁体２２３の周囲に設けられている。絶縁被膜２２１は、外部導体２２２の周囲に設けられており、弾性を有している。また、同軸ケーブル２２０は、その先端から絶縁体２２３、外部導体２２２の順に露出している。
【００１１】  ハウジング１２は、１枚の金属板（例えば、ばね用りん青銅）により作製され、図２に示すように、円筒部２０、蓋部２２、保持部２３及び固定部２４を含んでいる。
【００１２】  円筒部２０は、ｚ軸方向に延在する中心軸を有する円筒形を成している。従って、円筒部２０は、ｚ軸方向における、正方向側及び負方向側に開口を有している。ただし、円筒部２０は、一部（ｘ軸方向の負方向側の部分）が切り欠かれている。これにより、円筒部２０をｚ軸方向から見ると、Ｃ字型を成している。円筒部２０の中心軸と、同軸ケーブル２２０が延在している方向とは直交しており、９０°±５°の範囲内であることが好ましい。
【００１３】  固定部２４は、ブッシング１４をｙ軸方向の両側から挟んで固定するための、ｘ軸及びｚ軸に平行な面を有した板状の部分である。また、固定部２４は、円筒部２０が切り欠かれている部分から、同軸ケーブル２２０が延在している方向、つまり、ｘ軸方向の負方向側に向かって伸びている。ここで、上述のとおり、円筒部２０は切りかかれていることによりＣ字型を成している。従って、円筒部２０には、２つの端部が有る。固定部２４は、これらの各端部からｘ軸方向の負方向側に向かって伸びている。また、Ｃ字型を成す円筒部２０の各端部から平板状の固定部２４が延びているため、それらの接続部Ｊにはくびれが形成されている。
【００１４】  また、固定部２４には、湾曲部３３が設けられている。湾曲部３３は、固定部２４の一部がｙ軸方向の正方向側又は負方向側に湾曲させられることにより形成されている。
【００１５】  蓋部２２は、円筒部２０のｚ軸方向の負方向側の開口を覆う板状部材である。蓋部２２上には、後述するブッシング１４が載置される。なお、蓋部２２は、円筒部２０と同じ金属板を折り曲げることにより形成されているため、円筒部２０におけるｘ軸方向の正方向側の部分と折り曲げ部分Ｑで接続されている。また、蓋部２２のｙ軸方向の両端はｚ軸方向の正方向側に向かって折り曲げられている。そして、折り曲げられている部分は、その位置により、径拡大抑制部２５と第１かしめ部２６とに分けることができる。
【００１６】  径拡大抑制部２５は、円筒部２０におけるｙ軸方向に位置する弧の周囲から、ｘ軸方向の負方向側に向かって、該弧に沿うように設けられている。
【００１７】  第１かしめ部２６は、径拡大抑制部２５にｘ軸方向の負方向側で隣接する部分である。また、第１かしめ部２６は、同軸コネクタ１０の組立て前の状態では、径拡大抑制部２５と比較して、ｚ軸方向の正方向側に向かって大きく伸びている。そして、同軸コネクタ１０の組立ての際に、第１かしめ部２６をハウジング１２の内側に向かって折りたたむことにより、第１かしめ部２６は、固定部２４及び同軸ケーブル２２０の絶縁体２２３の周囲に巻き付けられる。これにより、第１かしめ部２６は、固定部２４及び絶縁体２２３に圧接する。この際、固定部２４及び絶縁体２２３は、第１かしめ部２６に押されてブッシング１４に圧接する。つまり、固定部２４及びかしめ部２６は、ブッシング１４を保持している。従って、第１かしめ部２６は、ブッシング１４、ソケット１６及び同軸ケーブル２２０をハウジング１２に固定する役割を果たす。
【００１８】  保持部２３は、図２に示すように、同軸ケーブル２２０に沿って延在する板状の部材である。また、保持部２３は、蓋部２２のｘ軸方向の負方向側の端部に接続されている。さらに、保持部２３は、第２かしめ部２７及び第３かしめ部２８に分けることができる。そして、第２かしめ部２７及び第３かしめ部２８は、この順に、ｘ軸方向の正方向側から負方向側に向かって並んでいる。
【００１９】  第２かしめ部２７及び第３かしめ部２８は、同軸コネクタ１０の組立て前の状態において、ｘ軸方向の負方向側から見ると、Ｕ字型を成している。そして、同軸ケーブル２２０を同軸コネクタ１０に取り付ける際に、該Ｕ字の底部に同軸ケーブル２２０を押し込み、第２かしめ部２７及び第３かしめ部２８を同軸ケーブル２２０に巻きつけるように曲げることで、同軸ケーブル２２０がハウジング１２に固定される。このとき、第２かしめ部２７は、同軸ケーブル２２０の外部導体２２２と接触しており、第３かしめ部２８は、絶縁被膜２２１と接触している。また、第２かしめ部２７及び第３かしめ部２８の同軸ケーブル２２０と接触する内周面には、同軸ケーブル２２０の抜けを防止するために、ｘ軸方向と直交する溝Ｇが形成されている。
【００２０】  ブッシング１４は、樹脂（例えば、液晶ポリマー）からなる絶縁体により構成されており、ハウジング１２とソケット１６とを絶縁する役割を果たしている。ブッシング１４は、ハウジング１２に取り付けられており、図２に示すように、円形部３６及び保持部３８により構成されている。
【００２１】  円形部３６は、ソケット１６を保持する役割を果たし、図２に示すように、背面部３９及び円筒部４１により構成されている。背面部３９は、嵌合方向となるｚ軸方向から平面視したときに、円形をなす板状部材である。また、背面部３９は、ブッシング１４がハウジング１２に取り付けられた際に、円筒部２０内に収まっている部分である。
【００２２】  円筒部４１は、図２に示すように、背面部３９のｚ軸方向の正方向側の面上に設けられており、ｚ軸方向に延在する中心軸を有している。なお、ブッシング１４の円筒部４１の中心軸とハウジング１２の円筒部２０の中心軸とは略一致している。
【００２３】  保持部３８は、ソケット１６を保持する役割を果たし、背面部４２及び押さえ部４６により構成されている。背面部４２は、円形部３６の背面部３９からｘ軸方向の負方向側に向かって延在している板状部材である。また、背面部４２のｙ軸方向の両端は、ｚ軸方向の正方向側に向かって折り曲げられている。従って、背面部４２の断面はコの字型を成している。ここで、背面部４２のｚ軸方向の正方向側に向かって折り曲げられた部分のうち、ｘ軸方向の負方向側の端部近傍の部分である側壁３８ａは、他の部分よりもｚ軸方向に長く伸びている。さらに、側壁３８ａのｚ軸方向の略中央には、背面部４２の延在方向に伸びる溝が形成されている。そして、同軸ケーブル２２０を同軸コネクタ１０に取り付けるために第１かしめ部２６を折り曲げると該溝部分から折れ曲がり、側壁３８ａが、絶縁体２２３と第１かしめ部２６との間に挟まる。これにより、同軸コネクタ１０と同軸ケーブル２２０との絶縁性を向上させることできる。
【００２４】  押さえ部４６は、ｘ軸方向に垂直な板状部材であり、同軸ケーブル２２０が同軸コネクタ１０に組み付けられた際に、該同軸ケーブル２２０の先端が突き当たる部分である。ここで、押さえ部４６のｚ軸方向の負方向側の端部と背面部４２のｚ軸方向の正方向側の面との間には隙間Ｓｐが設けられている。同様に、円筒部４１と背面部４２のｚ軸方向の正方向側の面との間にも隙間Ｓｐが設けられている。これにより、押さえ部４６のｘ軸方向の負方向側の空間と円筒部４１内とが隙間Ｓｐを介して連通している。
【００２５】  また、ブッシング１４は、２つに分離可能である。具体的には、ブッシング１４は、ｙ軸方向の正方向側の半分とｙ軸方向の負方向側の半分にＶ字型に分かれる。これにより、後述するソケット１６がブッシング１４に取り付けられることが可能となる。
【００２６】  ソケット１６は、１枚の金属板（例えば、ばね用りん青銅）により作製され、図１に示すように、ブッシング１４に取り付けられ、該ブッシング１４によりハウジング１２と絶縁されている。また、ソケット１６は、図２に示すように、円筒部４８、背面部５０及び取り付け部５２により構成されている。
【００２７】  円筒部４８は、背面部５０のｘ軸方向の正方向側に接続されており、ｚ軸方向から平面視したときに、円環の一部が切り欠かれた形状を有している。円筒部４８の半径は、ブッシング１４の円筒部４１の半径よりも小さい。そして、円筒部４８は、同軸コネクタ１０が組立てられた際に、図１に示すように、円筒部４１内に収まっている。さらに、円筒部４８は、円筒部２０の中心軸が延在する方向（ｚ軸方向）から平面視したときに円筒部２０の中心に位置している。
【００２８】  背面部５０は、図３及び図４に示すように、円筒部４１から隙間Ｓｐを通過するように、ｘ軸方向の負方向側に延在している板状部材である。取り付け部５２は、背面部５０のｘ軸方向の負方向側の端部において、ｚ軸方向の正方向側に垂直に折り曲げられることにより設けられており、同軸ケーブル２２０の中心導体２２４と接続される。具体的には、取り付け部５２は、所定の隙間を介して並ぶ２枚の切断用片５２ａ，５２ｂにより構成されている。そして、同軸ケーブル２２０の中心導体２２４が切断用片５２ａ，５２ｂの間の隙間に挟まれるように、ｚ軸方向の正方向側から負方向側へと、同軸ケーブル２２０がかしめ部２６により切断用片５２ａ，５２ｂに押さえつけられる。これにより、切断用片５２ａ，５２ｂは、かしめ部２６からの力により同軸ケーブル２２０の絶縁体２２３に圧接する。そして、切断用片５２ａ，５２ｂは、同軸ケーブル２２０の絶縁体２２３の一部を切断（破壊）して、中心導体２２４と接続される。
【００２９】（同軸コネクタの組み立て）  以上のように構成された同軸コネクタ１０は、以下に説明する手順により組立てられる。
【００３０】  まず、ブッシング１４に対してソケット１６を取り付ける。具体的には、円筒部４１内に円筒部４８が収まると共に、背面部５０が隙間Ｓｐに収まるように、ブッシング１４によりソケット１６をｙ軸方向の両側から挟み込む。
【００３１】  次に、ハウジング１２に対してブッシング１４を取り付ける。具体的には、円筒部２０内に円形部３６が収まると共に、固定部２４間に保持部３８が収まるように、ｚ軸方向の正方向側からブッシング１４をハウジング１２に対して押し込むようにして取り付ける。
【００３２】  次に、外部導体２２２及び絶縁体２２３が露出した状態の同軸ケーブル２２０を取り付け部５２上に載置する。このとき、中心導体２２４は、露出していない。そして、絶縁体２２３が取り付け部５２上に位置し、外部導体２２２が第２かしめ部２７上に位置し、絶縁被膜２２１が第３かしめ部２８上に位置するように、同軸ケーブル２２０をソケット１６に載置する。
【００３３】  同軸ケーブル２２０の載置後、同軸ケーブル２２０を同軸コネクタ１０に固定するためのかしめを行う。まず、第１かしめ部２６を折り曲げることにより、絶縁体２２３を切断用片５２ａ，５２ｂに押し付ける。これにより、絶縁体２２３の一部が切断用片５２ａ，５２ｂにより切断され、切断用片５２ａ，５２ｂと中心導体２２４とが接続される。
【００３４】  次に、第２かしめ部２７を外部導体２２２に巻き付けるように折り曲げる。これに加え、第３かしめ部２８を絶縁被膜２２１に巻き付けるように折り曲げる。以上の工程を経て、同軸コネクタ１０は、図１に示すような同軸ケーブル２２０と接続された状態となる。
【００３５】（同軸コネクタのレセプタクルへの取り付け  図３及び図４参照）  次に、同軸コネクタ１０のレセプタクル２３０への着脱について説明する。レセプタクル２３０は、図３に示すように、外部導体２３２及び中心導体２３４により構成されている。外部導体２３２は、円筒形状の電極である。中心導体２３４は、外部導体２３２の中心においてｚ軸方向の負方向側に突出している電極である。
【００３６】  同軸コネクタ１０をレセプタクル２３０に嵌合する際には、図３に示すように、外部導体２３２が円筒部２０内に収まるように取り付ける。これにより、円筒部２０の内周面と外部導体２３２の外周面とが接触し、同軸ケーブル２２０の外部導体２２２とレセプタクル２３０の外部導体２３２とがハウジング１２を介して電気的に接続されるようになる。
【００３７】  また、外部導体２３２が円筒部２０内に収まるのと同時に、図４に示すように、中心導体２３４がソケット１６の円筒部４８に挿入される。これにより、中心導体２３４の外周面と円筒部４８の内周面とが接触し、同軸ケーブル２２０の中心導体２２４とレセプタクル２３０の中心導体２３４とがソケット１６を介して電気的に接続されるようになる。
【００３８】（効果）  以上のように構成された同軸コネクタ１０によれば、レセプタクル２３０との嵌合力の低下を抑制することができる。具体的には、同軸コネクタ１０をレセプタクル２３０に嵌合する際に、同軸コネクタ１０の円筒部２０は、レセプタクル２３０の外部導体２３２により押し広げられる。その結果、円筒部２０の形状が崩れ、レセプタクル２３０との嵌合力が弱まる。しかし、同軸コネクタ１０では、図２に示すように、円筒部２０の周囲に、径拡大抑制部２５が設けられている。これにより、円筒部２０が押し広げられて塑性変形する前に、円筒部２０は、径拡大抑制部２５により該円筒部２０の中心に向かう方向に復元力を付加される。従って、同軸コネクタ１０では、円筒部２０の形状が崩れることによってレセプタクル２３０との嵌合力が弱まることを抑制することができる。
【００３９】  ところで、同軸コネクタ１０のハウジング１２では、Ｃ字型を成す円筒部２０の各端部から平板状の固定部２４が延びているため、それらの接続部Ｊにはくびれが形成されている。接続部Ｊは、折り曲げ部分Ｑとかしめ部２６との中間の位置に配置されている。また、このようにＣ字型を成す円筒部２０の各端部くびれが形成されていることで、接続部Ｊは、同軸コネクタ１０をレセプタクル２３０に嵌合する際に変形しやすい。ここで、同軸コネクタ１０のハウジング１２では、径拡大抑制部２５が、円筒部２０におけるｙ軸方向に位置する弧の周囲からｘ軸方向の負方向側に向かって、該弧に沿うように設けられている。つまり、径拡大抑制部２５は、接続部Ｊの周囲にも設けられている。従って、同軸コネクタ１０では、径拡大抑制部２５が、ハウジング１２の変形しやすい部分の周囲に設けられているため、より効果的に、円筒部２０の形状の崩れを抑え、レセプタクル２３０との嵌合力が弱まることを抑制することができる。なお、径拡大抑制部２５が、レセプタクル２３０に嵌合されない状態で、円筒部２０と当接するように設けられていてもよい。あるいは、レセプタクル２３０が接続されない状態で、径拡大抑制部２５が、円筒部２０につながる接続部Ｊと円筒部２０の外側において最も近接するように設けられ、あるいは径拡大抑制部２５が接続部Ｊのみに当接するように設けられていてもよい。ｘ軸を基準とする線対称の位置に、２つの径拡大抑制部２５が設けられて、一対の線対称配置の径拡大抑制部２５であることが好ましい。一対の線対称配置の径拡大抑制部２５が設けられる場合、ｘ軸を基準に線対称配置されることで、径拡大抑制部２５によって付加される復元力が円筒部２０に対称に作用するため、応力集中による円筒部２０の塑性変形の発生が抑制できる。
【００４０】  （第１変形例  図５参照）  第１変形例である同軸コネクタ１０Ａと一実施例である同軸コネクタ１０との相違点は、径拡大抑制部２５の形状である。第１変形例である同軸コネクタ１０Ａでは、径拡大抑制部２５が、円筒部２０におけるｙ軸方向に位置する弧の周囲にのみに設けられている。具体的には、ｚ軸方向から同軸コネクタ１０を平面視したときに、円筒部２０の中心及び径拡大抑制部２５のｘ軸方向の中心を結んだ線分Ｌ１と、円筒部２０の中心及び同軸コネクタ１０Ａに同軸ケーブル２２０が接続された際の該同軸ケーブル２２０の中心導体２２４の延長線である中心線と該円筒部２０の交点を結んだ線分Ｌ２との成す角度αが略９０°となるように、径拡大抑制部２５が設けられている。径拡大抑制部２５がこのような形状であっても、径拡大抑制部２５は円筒部２０の周囲に位置するため、円筒部２０の形状の崩れによってレセプタクル２３０との嵌合力が弱まることを抑制することができる。
【００４１】（第２変形例  図６参照）  第２変形例である同軸コネクタ１０Ｂと第１変形例である同軸コネクタ１０Ａとの相違点は、角度αが略１００°である点である。円筒部２０において、基本的に、蓋部２２と接続されているｘ軸方向の正方向側の折り曲げ部分Ｑから蓋部２２に固定されるかしめ部２６と折り曲げ部分Ｑとの中間部分に近づくほど変形しやすい。従って、角度αを９０°よりも大きな１００°にすることによって、固定端に相当する折り曲げ部分Ｑ及びかしめ部２６からより離れた部分の変形を抑制することができる。つまり、第２変形例である同軸コネクタ１０Ｂは、第１変形例である同軸コネクタ１０Ａと比較して、より効率的に、円筒部２０の形状の崩れを抑え、レセプタクル２３０との嵌合力が弱まることを抑制することができる。
【００４２】（第３変形例  図７参照）  第３変形例である同軸コネクタ１０Ｃと第１変形例である同軸コネクタ１０Ａとの相違点は、角度αが略１２０°である点である。これにより、円筒部２０のｙ軸方向の両側に設けられた径拡大抑制部２５と折り曲げ部分Ｑそれぞれを結んだ線分が正三角形を成す。そして、円筒部２０は、それらの３つの頂点からバランスよく該円筒部２０の中心に向かう方向に復元力を付加される。従って、角度αを１２０°にすることにより、バランスよく円筒部２０の形状の崩れを抑え、レセプタクル２３０との嵌合力が弱まることを抑制することができる。
【００４３】  （第４変形例  図８参照）  第４変形例である同軸コネクタ１０Ｄと一実施例である同軸コネクタ１０との相違点は、径拡大抑制部２５の形状である。具体的には、第４変形例である同軸コネクタ１０Ｄにおける径拡大抑制部２５の形状は、第１変形例である同軸コネクタ１０Ａの径拡大抑制部２５及び第３変形例である同軸コネクタ１０Ｃの径拡大抑制部２５を組み合わせた形状、すなわち、円筒部２０におけるｙ軸方向の一方側に対して複数の径拡大抑制部２５が設けられている。図８で示すように、ｘ軸を基準にして、接続部Ｊに近い方の第１の一対の線対称配置された径拡大抑制部２５と第２の一対の線対称配置された径拡大抑制部２５との複数の一対の線対称配置された径拡大抑制部２５が設けられている。径拡大抑制部２５がこのような形状であっても、径拡大抑制部２５は円筒部２０の周囲に位置するため、円筒部２０の形状の崩れによってレセプタクル２３０との嵌合力が弱まることを抑制することができる。複数の一対の線対称配置された径拡大抑制部２５を配置することで、径拡大抑制部２５に作用する応力を減少させて、径拡大抑制部２５自身の変形が抑制される。レセプタクルが挿入されない状態における、円筒部２０と第１の一対の線対称配置された径拡大抑制部２５との距離は、円筒部２０と第２の一対の線対称配置された径拡大抑制部２５との距離より短いことが好ましい。
【００４４】（他の実施例）  本発明に係る同軸コネクタは前記実施例に限定するものではなく、その要旨の範囲内で種々に変更することができる。例えば、各部材の材料、大きさ、具体的な形状等は任意である。また、各実施例を組み合わせてもよい。
【産業上の利用可能性】
【００４５】  以上のように、本発明は、同軸コネクタに対して有用であり、相手方のコネクタに対する嵌合力の低下を抑制することができる点において優れている。
【符号の説明】
【００４６】  Ｊ  接続部  α  角度（第１の線分と第２の線分とが成す角度）  １０，１０Ａ，１０Ｂ，１０Ｃ，１０Ｄ  同軸コネクタ  １２  ハウジング  １４  ブッシング  １６  ソケット  ２０  円筒部  ２２  蓋部  ２３  保持部  ２４  固定部  ２５  径拡大抑制部  ２２０  同軸ケーブル  ２２１  絶縁被膜  ２２２  外部導体  ２２３  絶縁体  ２２４  中心導体  ２３０  レセプタクル（相手方コネクタ）
【図１】
2016163140.tif 000003
【図２】
2016163140.tif 000004
【図３】
2016163140.tif 000005
【図４】
2016163140.tif 000006
【図５】
2016163140.tif 000007
【図６】
2016163140.tif 000008
【図７】
2016163140.tif 000009
【図８】
2016163140.tif 000010
【国際調査報告】
2016163140.tif 000011
2016163140.tif 000012
2016163140.tif 000013
2016163140.tif 000014